(57)【要約】【課題】透明発光パネルと液晶パネルを積層した２層構造の透明ディスプレイにおいて、表と裏の両面で透明度に階調がある画像表示を可能とする技術を提供する。【解決手段】自発光素子からなる第１表示パネルと、液晶素子からなる第２表示パネルと、が重ね合わされ、第１表示パネル側と第２表示パネル側とのいずれの面でも表示を行うことができる表示装置であって、画像データと透明度データとを含む表示データ表示データに基づき自発光素子の輝度及び液晶素子の透過率を制御する制御手段と、を備え、第１表示パネル側で表示を行う場合、画像データに基づき自発光素子の輝度を制御するとともに、透明度データに基づき液晶素子の透過率を制御し、第２表示パネル側で表示を行う場合、画像データ及び透明度データに基づき自発光素子の輝度を制御するとともに、画像データ及び透明度データに基づき液晶素子の透過率を制御する表示装置。【選択図】図１
2016020959.tif 000002
【特許請求の範囲】
【請求項１】
自発光するとともに発光の輝度に応じた透明度で透明となる複数の素子からなる第１表示パネルと、
光の透過率を調節する複数の素子からなる第２表示パネルと、
が重ね合わされ、第１表示パネル側と第２表示パネル側とのいずれの面でも表示を行うことができる表示装置であって、
画像データと透明度データとを含む表示データを取得する取得手段と、
前記表示データに基づき前記第１表示パネルの各素子の輝度及び前記第２表示パネルの各素子の透過率を制御する制御手段と、
を備え、
前記制御手段は、
前記第１表示パネル側で表示を行う場合、前記画像データに基づき前記第１表示パネルの各素子の輝度を制御するとともに、前記透明度データに基づき前記第２表示パネルの各素子の透過率を制御し、
前記第２表示パネル側で表示を行う場合、前記画像データ及び前記透明度データに基づき前記第１表示パネルの各素子の輝度を制御するとともに、前記画像データ及び前記透明度データに基づき前記第２表示パネルの各素子の透過率を制御する表示装置。
【請求項２】
前記制御手段は、前記第１表示パネル側で表示を行う場合、前記第１表示パネルの各素子からの光により前記画像データに基づく画像が形成されるように前記第１表示パネルの各素子の輝度を制御するとともに、前記第２表示パネルの各素子の透過率により前記透明度データに基づく透明状態が形成されるように前記第２表示パネルの各素子の透過率を制御する請求項１に記載の表示装置。
【請求項３】
前記制御手段は、前記第２表示パネル側で表示を行う場合、前記第１表示パネルの各素子からの光が前記第２表示パネルの各素子を透過することにより前記画像データに基づく画像が形成され、かつ、前記第１表示パネルの各素子の輝度に応じた透過率と前記第２表示パネルの各素子の透過率とにより前記透明度データに基づく透明状態が形成されるように、前記第１表示パネルの各素子の輝度及び前記第２表示パネルの各素子の透過率を制御する請求項１又は２に記載の表示装置。
【請求項４】
前記制御手段は、前記第１表示パネル側で表示を行う場合、
前記第１表示パネルの各画素の輝度を、前記画像データの画素値が大きいほど大きい値とするとともに前記透明度データの画素値が大きいほど小さい値とし、
前記第２表示パネルの各画素の透過率を、前記透明度データの画素値が大きいほど大きい値とする請求項１〜３のいずれか１項に記載の表示装置。
【請求項５】
前記制御手段は、前記第２表示パネル側で表示を行う場合、
前記第１表示パネルの各画素の輝度を、前記画像データの画素値が大きいほど大きい値とするとともに前記透明度データの画素値が大きいほど小さい値とし、
前記第２表示パネルの各画素の透過率を、前記画像データの画素値が大きいほど大きい値とするとともに前記透明度データの画素値が大きいほど大きい値とする請求項１〜４のいずれか１項に記載の表示装置。
【請求項６】
前記制御手段は、前記第２表示パネル側で表示を行う場合、前記画像データの画素値に対応する前記第１表示パネルの輝度を、前記第１表示パネル側で表示を行う場合と比較して、大きい値に補正する請求項５に記載の表示装置。
【請求項７】
前記制御手段は、前記画像データのとり得る最小の画素値及び最大の画素値に対応する
前記第１表示パネルの輝度については、前記補正を行わない請求項６に記載の表示装置。
【請求項８】
前記制御手段は、前記透明度データの画素値が大きいほど前記補正による補正量を小さくする請求項６又は７に記載の表示装置。
【請求項９】
前記制御手段は、前記透明度データの画素値がとり得る最大の値の場合、前記補正を行わない請求項８に記載の表示装置。
【請求項１０】
前記制御手段は、前記第２表示パネル側で表示を行う場合、前記透明度データの画素値に対応する前記第２表示パネルの透過率を、前記第１表示パネル側で表示を行う場合と比較して大きい値に補正する請求項５〜９のいずれか１項に記載の表示装置。
【請求項１１】
前記制御手段は、前記透明度データのとり得る最小の画素値及び最大の画素値に対応する前記第２表示パネルの透過率については、前記補正を行わない請求項１０に記載の表示装置。
【請求項１２】
前記制御手段は、前記画像データの画素値が大きいほど前記補正による補正量を大きくする請求項１０又は１１に記載の表示装置。
【請求項１３】
前記制御手段は、前記画像データの画素値がとり得る最大の値の場合、前記補正を行わない請求項１２に記載の表示装置。
【請求項１４】
ユーザが前記第１表示パネル側と前記第２表示パネル側とのどちらから表示を観察しているかを検出する検出手段と、
前記検出手段による検出結果に応じて前記第１表示パネル側で表示を行うか前記第２表示パネル側で表示を行うかを切り替える切替手段と、
をさらに備える請求項１〜１３のいずれか１項に記載の表示装置。
【請求項１５】
前記制御手段は、前記画像データの画素値及び前記透明度データの画素値と前記第１表示パネルの輝度の階調値及び前記第２表示パネルの透過率の階調値との対応関係を定めたテーブルを用いて、前記表示データに基づき前記第１表示パネルの各素子の輝度及び前記第２表示パネルの各素子の透過率を制御するものであって、
前記切替手段は、前記検出手段による検出結果に応じて、前記制御手段が用いるテーブルを、前記第１表示パネル側で表示を行う場合に適用される第１テーブル、又は前記第２表示パネル側で表示を行う場合に適用される第２テーブルに切り替える請求項１４に記載の表示装置。
【請求項１６】
入力される画像データから透明度データを生成する生成手段をさらに備え、
前記取得手段は、前記入力される画像データと前記生成手段により生成される透明度データとを前記表示データとして取得する請求項１〜１５のいずれか１項に記載の表示装置。
【請求項１７】
前記生成手段は、前記入力される画像データに基づく画像に含まれるオブジェクトを検出し、画像に含まれるオブジェクトの種類と透明度との所定の対応関係に基づき、前記検出したオブジェクトごとに透明度を設定することにより、前記透明度データを生成する請求項１６に記載の表示装置。
【請求項１８】
前記生成手段は、前記検出したオブジェクトが人物である場合、当該オブジェクトを構成する画素の透明度の画素値を小さい値とし、前記検出したオブジェクトが背景である場合、当該オブジェクトを構成する画素の透明度の画素値を大きい値とする請求項１７に記
載の表示装置。
【請求項１９】
前記第１表示パネルの表面に設けられる第１タッチパネルと、
前記第２表示パネルの表面に設けられる第２タッチパネルと、
をさらに備える請求項１〜１８のいずれか１項に記載の表示装置。
【請求項２０】
自発光するとともに発光の輝度に応じた透明度で透明となる複数の素子からなる第１表示パネルと、
光の透過率を調節する複数の素子からなる第２表示パネルと、
が重ね合わされ、第１表示パネル側と第２表示パネル側とのいずれの面でも表示を行うことができる表示装置の制御方法であって、
画像データと透明度データとを含む表示データを取得する取得工程と、
前記表示データに基づき前記第１表示パネルの各素子の輝度及び前記第２表示パネルの各素子の透過率を制御する制御工程と、
を有し、
前記制御工程では、
前記第１表示パネル側で表示を行う場合、前記画像データに基づき前記第１表示パネルの各素子の輝度を制御するとともに、前記透明度データに基づき前記第２表示パネルの各素子の透過率を制御し、
前記第２表示パネル側で表示を行う場合、前記画像データ及び前記透明度データに基づき前記第１表示パネルの各素子の輝度を制御するとともに、前記画像データ及び前記透明度データに基づき前記第２表示パネルの各素子の透過率を制御する表示装置の制御方法。
【発明の詳細な説明】
【技術分野】
【０００１】
本発明は、表示装置及びその制御方法に関するものである。
【背景技術】
【０００２】
透明ディスプレイを用いた機器が実用化されている。例えば、透明基板上に有機ＥＬ（Electro-Luminescence）等の発光素子を設けて構成される透明発光パネルは、発光素子の発光により画像表示を行うとともに、画像非表示時には透明になる。透明ディスプレイの透明度を調節する方法としては、透明発光パネルに液晶パネルを重ね合わせ、液晶素子の透過率を制御する方法がある（特許文献１参照）。透明ディスプレイでは背後にある現実のオブジェクトが透過するため、現実のオブジェクトを背景として画像を重ね合わせた表示をすることができ。そのため、ＡＲ（Augmented Reality:拡張現実）技術を利用したアプリケーションに好適である。
【０００３】
タッチ操作によりコマンド入力可能な高機能携帯端末が普及している。このような携帯端末に透明ディスプレイを採用した場合、装置の裏と表の区別をしづらくなる。ユーザの利便性の観点から、裏と表を意識せずに装置を使用できることが望ましい。そのため、透明ディスプレイを携帯端末に採用する場合、表にも裏にも画像表示可能な両面表示対応の透明ディスプレイとすることが望ましい。両面表示対応の透明ディスプレイとしては、自発光素子を用いた透明発光パネルと液晶パネルの２層で構成され、一方の面で表示する際に非透過の表示を行うものが提案されている（特許文献２参照）。
【先行技術文献】
【特許文献】
【０００４】
【特許文献１】特開２００８−０８３５１０号公報
【特許文献２】特開２０１１−５９２１５号公報
【発明の概要】
【発明が解決しようとする課題】
【０００５】
透明ディスプレイでは、非透過や半透明等のような透明度に階調がある画像表示を行いたい場合がある。しかし、上述した特許文献２の透明ディスプレイでは、透明発光パネル側で画像表示する場合には液晶パネルを黒表示（非透過）とし、液晶パネル側で画像表示する場合には透明発光パネルを白表示としてバックライトとして使用している。すなわち、表と裏のいずれの面での画像表示も非透過の表示となってしまうため、表と裏の両方の面で透明度に階調がある表示をすることはできない。両面表示可能な透明ディスプレイで透明度に階調がある表示を実現する方法としては、自発光素子を用いた透明発光パネルの両側に液晶パネルを配置し、表面と裏面とが対称の構造とする方法がある。しかし、このような３層構造とした場合、重量、厚さ、コストの面で課題がある。
【０００６】
そこで、本発明では、透明発光パネルと液晶パネルを積層した２層構造の透明ディスプレイにおいて、表と裏の両面で透明度に階調がある画像表示を可能とする技術を提供することを目的とする。
【課題を解決するための手段】
【０００７】
本発明は、自発光するとともに発光の輝度に応じた透明度で透明となる複数の素子からなる第１表示パネルと、
光の透過率を調節する複数の素子からなる第２表示パネルと、
が重ね合わされ、第１表示パネル側と第２表示パネル側とのいずれの面でも表示を行うこ
とができる表示装置であって、
画像データと透明度データとを含む表示データを取得する取得手段と、
前記表示データに基づき前記第１表示パネルの各素子の輝度及び前記第２表示パネルの各素子の透過率を制御する制御手段と、
を備え、
前記制御手段は、
前記第１表示パネル側で表示を行う場合、前記画像データに基づき前記第１表示パネルの各素子の輝度を制御するとともに、前記透明度データに基づき前記第２表示パネルの各素子の透過率を制御し、
前記第２表示パネル側で表示を行う場合、前記画像データ及び前記透明度データに基づき前記第１表示パネルの各素子の輝度を制御するとともに、前記画像データ及び前記透明度データに基づき前記第２表示パネルの各素子の透過率を制御する表示装置である。
【０００８】
本発明は、自発光するとともに発光の輝度に応じた透明度で透明となる複数の素子からなる第１表示パネルと、
光の透過率を調節する複数の素子からなる第２表示パネルと、
が重ね合わされ、第１表示パネル側と第２表示パネル側とのいずれの面でも表示を行うことができる表示装置の制御方法であって、
画像データと透明度データとを含む表示データを取得する取得工程と、
前記表示データに基づき前記第１表示パネルの各素子の輝度及び前記第２表示パネルの各素子の透過率を制御する制御工程と、
を有し、
前記制御工程では、
前記第１表示パネル側で表示を行う場合、前記画像データに基づき前記第１表示パネルの各素子の輝度を制御するとともに、前記透明度データに基づき前記第２表示パネルの各素子の透過率を制御し、
前記第２表示パネル側で表示を行う場合、前記画像データ及び前記透明度データに基づき前記第１表示パネルの各素子の輝度を制御するとともに、前記画像データ及び前記透明度データに基づき前記第２表示パネルの各素子の透過率を制御する表示装置の制御方法である。
【発明の効果】
【０００９】
本発明によれば、透明発光パネルと液晶パネルを積層した２層構造の透明ディスプレイにおいて、表と裏の両面で透明度に階調がある画像表示が可能となる。
【図面の簡単な説明】
【００１０】
【図１】実施例１の表示装置の構成を示すブロック図
【図２】実施例１の表示装置の実装形態を示す構成図
【図３】実施例１の表示装置の透明発光パネルと液晶パネルとの画素構成を示す図
【図４】実施例１の階調テーブル説明用のカラーチャートを示す図
【図５（ａ）】実施例１の表面階調テーブルを示す表
【図５（ｂ）】実施例１の表面階調テーブルを示す表
【図６】実施例１の表面階調テーブルを示すグラフ
【図７（ａ）】実施例１の裏面階調テーブル（補正なし）を示す表
【図７（ｂ）】実施例１の裏面階調テーブル（補正なし）を示す表
【図８】実施例１の裏面階調テーブル（補正なし）を示すグラフ
【図９】実施例１の裏面階調テーブルの補正演算を示すグラフ
【図１０（ａ）】実施例１の裏面階調テーブル（補正あり）を示す表
【図１０（ｂ）】実施例１の裏面階調テーブル（補正あり）を示す表
【図１１】実施例１の裏面階調テーブル（補正あり）を示すグラフ
【図１２】実施例１の表示装置の使用例及び表示例を示す図
【図１３】実施例１の表示装置の動作フローを示すフローチャート
【図１４】実施例１の表示装置の透明対応データ変換処理を示すフローチャート
【図１５】実施例１の表示装置の表示処理を示すフローチャート
【発明を実施するための形態】
【００１１】
（実施例１）
図１は本発明の実施例である表示装置１のブロック図である。この表示装置１は、透明ディスプレイ１０１と制御システム部１１１を有する。透明ディスプレイ１０１は、自発光するとともに発光の輝度に応じた透明度で透明となる複数の素子からなる第１表示パネルと、光の透過率を調節する複数の素子からなる第２表示パネルと、が重ね合わされて構成される。表示装置１は、第１表示パネル側（表（おもて）面）と第２表示パネル側（裏（うら）面）とのいずれの面でも画像表示を行うことができる表示装置である。実施例１では、第１表示パネルは透明発光パネル１０３であり、第２表示パネルは液晶パネル１０２である。透明ディスプレイ１０１はさらに、透明発光パネル１０３の表面に設けられる第１タッチパネルと、液晶パネル１０２の表面に設けられる第２タッチパネルと、を備える。実施例１では、第１タッチパネルは前面タッチパネル１０５であり、第２タッチパネルは背面タッチパネル１０４である。表示装置１は、例えば、ユーザが手に持って視聴及び操作する携帯端末である。透明ディスプレイ１０１は、両面表示可能な透明ディスプレイであり、ユーザは表面と裏面との両方から表示を見ることができる。
【００１２】
透明ディスプレイ１０１は、背面タッチパネル１０４、液晶パネル１０２、透明発光パネル１０３、及び前面タッチパネル１０５が順に積層されて構成される。透明ディスプレイ１０１は、表と裏の両面からタッチ操作可能である。透明ディスプレイ１０１は、ステレオスピーカー１０６及びステレオマイク１０７の音声入出力系モジュールと、加速度センサ１０８、前面カメラ１０９、及び背面カメラ１１０のセンサ系モジュールとを有する。
【００１３】
液晶パネル１０２は、複数の液晶素子が配列されて構成される。液晶パネル１０２の各画素は、ＲＧＢの各色に対応するサブ画素から構成され、サブ画素ごとに液晶素子が設けられている。各液晶素子の光の透過率は印加電圧に応じて変化する。液晶パネル１０２により、透明ディスプレイ１０１の画素ごと、及び色ごとに、透過率が制御される。
【００１４】
透明発光パネル１０３は、複数の自発光素子が配列されて構成される。自発光素子としては、例えば、電圧印加により発光するエレクトロルミネッセンス特性を持つ有機ＥＬを用いることができる。透明発光パネル１０３の各画素は、ＲＧＢの各色で発光する３種類の自発光素子で構成される。ＲＧＢの各色の自発光素子への印加電圧を独立に制御することでＲＧＢの各色の自発光素子の輝度（発光強度）が制御される。ＲＧＢの各色の自発光素子の輝度の組み合わせにより表示色が制御される。透明発光パネル１０３の画素を構成するＲＧＢの各色の自発光素子の全てが非発光状態のとき、その画素は透明となり、観察者は、その画素の背面側（背後）にあるものをその画素の前面側から観察できる。透明ディスプレイ１０１は、液晶パネル１０２と透明発光パネル１０３とがＲＧＢの各色の画素の位置が一致するように重ね合わされて構成され、画素ごとに色と透明度を制御することができる。
【００１５】
前面タッチパネル１０５は、透明なパネル表面にタッチセンサが設けられて構成される。前面タッチパネル１０５は、表示装置１の前面側からのタッチ操作を検出する。前面タッチパネル１０５は、ユーザが画面に接触したことを検出し、画面上の接触位置（座標）や接触位置の移動を検出する。前面タッチパネル１０５による検出結果に基づき、ユーザによる前面側からのタッチ操作内容が検出される。背面タッチパネル１０４も同様に、透
明なパネル表面にタッチセンサが設けられて構成され、表示装置１の背面側からのタッチ操作を検出する。前面タッチパネル１０５及び背面タッチパネル１０４により、ユーザが表示装置１を保持した状態で表となる面からのタッチ操作と裏となる面からのタッチ操作との両方を検出することができる。ユーザは、表と裏の両面からのタッチ操作を組み合わせて表示装置１を制御することができる。
【００１６】
ステレオスピーカー１０６は、２つのスピーカーからなり、各スピーカーはステレオ音声の左チャンネルの音声と右チャンネルの音声の各々を再生する。ステレオスピーカー１０６のどちらのスピーカーでステレオ音声の左チャンネルの音声と右チャンネルの音声のどちらを再生するかを変更可能である。ステレオマイク１０７は、２つのマイクロホンからなり、外部の音をそれぞれのマイクロホンで集音する。ステレオマイク１０７のどちらのマイクロホンで収録した音を、ステレオ音声の左チャンネルの音声と右チャンネルの音声のどちらの音声として扱うかを変更可能である。
【００１７】
加速度センサ１０８は、ＸＹＺの３方向の重力（加速度）を検出する。加速度センサ１０８によるＸＹＺの３方向の加速度の検出結果から、表示装置１の空間的な状態、すなわち、位置、移動の向きや速度、姿勢、方向、傾き、どちらの面が上面又は下面になっているか等を検出することができる。
【００１８】
前面カメラ１０９は、表示装置１の前面側の被写体を撮像するカメラである。前面カメラ１０９は、レンズとイメージセンサとを有する。前面カメラ１０９は、左右に並べて配置された２つのカメラから構成され、３Ｄ撮影が可能な３Ｄカメラである。３Ｄカメラを構成する２つのカメラには視差があり、この視差に基づき、撮像により得られる画像内のオブジェクトの空間的な位置（例えば奥行き方向の位置）や変位（移動）を検出することができる。３Ｄカメラにより撮像された画像からユーザのジェスチャを認識して、表示装置１へのコマンド入力に用いることができる。
【００１９】
背面カメラ１１０は、表示装置１の背面側の被写体を撮像するカメラである。背面カメラ１１０は、前面カメラ１０９と同様の構成及び機能を有する。ユーザが表示装置１を保持した状態で表となる面のカメラは、主にジェスチャ入力やユーザの自画像撮影のために使用し、裏となる面のカメラは通常の写真撮影のために使用することができる。なお、実施例１では、前面カメラ１０９及び背面カメラ１１０が３Ｄカメラの場合を例として説明するが、前面と背面にそれぞれ２Ｄカメラが設けられる構成でもよい。
【００２０】
制御システム部１１１は、表示装置１の全体の動作の制御を行う。制御システム部１１１は、画像データと透明度データとを含む表示データを取得し、表示データに基づき透明発光パネル１０３の各素子の輝度及び液晶パネル１０２の各素子の透過率を制御する。制御システム部１１１による制御には、画像データの取得や生成に関わる制御、透明ディスプレイ１０１の表示に関わる制御、外部との通信や各種センサの制御等が含まれる。制御システム部１１１は、透明ディスプレイ１０１を駆動するドライバや、各種の処理を行うプログラム等のソフトウェアと協働して動作するハードウェアを有する。
【００２１】
制御システム部１１１は、ディスプレイ制御部１１２、システムバス１１９、画像データバス１２０、ＲＡＭ１２１、ＣＰＵ１２２、外部通信部１２３、センサ制御部１２４、音声入出力制御部１２８を有する。
ディスプレイ制御部１１２は、画像データバス１２０から表示データを取得し、液晶パネル１０２及び透明発光パネル１０３を制御するための制御データを生成し、透明ディスプレイ１０１へ出力する。ディスプレイ制御部１１２による処理はＣＰＵ１２２により制御される。
【００２２】
画像データバス１２０は、表示データの送受信を行うバスである。表示データは画像データと透明度データとを含み、画像データ及び透明度データはそれぞれ複数の画素値のデータを含む。実施例１では、画像データの画素値はＲＧＢ輝度情報を有し、透明度データの画素値は透過率Ｔの情報を有する。透明度データの取得方法及び生成方法の詳細については後述する。
ディスプレイ制御部１１２は、表面表示用テーブル生成部１１３、裏面表示用テーブル生成部１１４、透過率階調テーブル選択部１１５、輝度階調テーブル選択部１１６、液晶パネル制御部１１７、透明発光パネル制御部１１８を有する。
【００２３】
ディスプレイ制御部１１２は、画像データの画素値及び透明度データの画素値と透明発光パネル１０３の輝度の階調値及び液晶パネル１０２の透過率の階調値との対応関係を定めたテーブルを用いる。ディスプレイ制御部１１２は、当該テーブルを用いて、表示データに基づき透明発光パネル１０３の各素子の輝度及び液晶パネル１０２の各素子の透過率を制御する。実施例１では、ディスプレイ制御部１１２は、階調テーブルを用いて制御を行う。実施例１では、階調テーブルは、画像データの画素値（ＲＧＢ値）及び透明度データの画素値（透過率Ｔ）を、透明発光パネル１０３と液晶パネル１０２に出力する制御データ（輝度階調値、透過率階調値）に変換するためのテーブルである。階調テーブルには、透明発光パネル１０３の制御値である輝度階調値を求めるための輝度階調テーブルと、液晶パネル１０２の制御値である透過率階調値を求めるための透過率階調テーブルと、の２種類のテーブルがある。また、それぞれのテーブルについて、透明発光パネル１０３側で画像表示を行う場合に適用される第１テーブルと、液晶パネル１０２側で画像表示を行う場合に適用される第２テーブルとがある。実施例１では、第１テーブルは、表面表示用テーブルであり、第２テーブルは裏面表示用テーブルである。
【００２４】
表面表示用テーブル生成部１１３は、表面表示時の透明発光パネル１０３と液晶パネル１０２の制御に用いる階調テーブルを生成する。表面表示用の輝度階調テーブル（表面輝度階調テーブル）と透過率階調テーブル（表面透過率階調テーブル）の詳細は後述する。表面輝度階調テーブルと表面透過率階調テーブルは、それぞれ輝度階調テーブル選択部１１６と透過率階調テーブル選択部１１５に出力される。
【００２５】
裏面表示用テーブル生成部１１４は、裏面表示時の透明発光パネル１０３と液晶パネル１０２の制御に用いる階調テーブルを生成する。裏面表示用の輝度階調テーブル（裏面輝度階調テーブル）と透過率階調テーブル（裏面透過率階調テーブル）の詳細は後述する。裏面輝度階調テーブルと裏面透過率階調テーブルは、それぞれ輝度階調テーブル選択部１１６と透過率階調テーブル選択部１１５に出力される。
【００２６】
ディスプレイ制御部１１２は、ユーザが表示装置１を透明発光パネル１０３側と液晶パネル１０２側とのどちらから観察しているかの検出結果に応じて、透明発光パネル１０３側で画像表示を行うか液晶パネル１０２側で画像表示を行うかの切替を行う。実施例１では、ディスプレイ制御部１１２は、後述するセンサ制御部１２４による検出結果に応じて、透明発光パネル１０３側で画像表示を行うか、液晶パネル１０２側で画像表示を行うかを切り替える。ディスプレイ制御部１１２は、ユーザが表示装置１を透明発光パネル１０３側と液晶パネル１０２側とのどちらから観察しているかの検出結果に応じて、用いるテーブルを第１テーブル又は第２テーブルに切り替える。実施例１では、透過率階調テーブル選択部１１５と輝度階調テーブル選択部１１６がこれらの処理を行う。
【００２７】
透過率階調テーブル選択部１１５は、表面用と裏面用の透過率階調テーブルの選択を行う。透過率階調テーブル選択部１１５は、ＣＰＵ１２２の制御に従い、前述の表面透過率階調テーブルと裏面透過率階調テーブルのいずれかを選択して、液晶パネル制御部１１７へ出力する。
輝度階調テーブル選択部１１６は、表面用と裏面用の輝度階調テーブルの選択を行う。輝度階調テーブル選択部１１６は、ＣＰＵ１２２の制御に従い、前述の表面輝度階調テーブルと裏面輝度階調テーブルのいずれかを選択して、透明発光パネル制御部１１８へ出力する。
【００２８】
液晶パネル制御部１１７は、液晶パネル１０２の制御を行う。液晶パネル制御部１１７は、画像データバス１２０から入力される画像データを、透過率階調テーブル選択部１１５から入力される透過率階調テーブルに従って変換し、さらに液晶パネル１０２の駆動信号に変換して出力する。
透明発光パネル制御部１１８は、透明発光パネル１０３の制御を行う。透明発光パネル制御部１１８は、画像データバス１２０から入力される画像データを、輝度階調テーブル選択部１１６から入力される輝度階調テーブルに従って変換し、さらに透明発光パネル１０３の駆動信号に変換して出力する。
【００２９】
ＲＡＭ１２１、ＣＰＵ１２２、及びシステムバス１１９は、主にソフトウェアと協働して所定の処理を実現するためのハードウェアである。ＲＡＭ１２１にはプログラムや制御データ等の各種データが記憶される。ＣＰＵ１２２は、ＲＡＭ１２１からプログラムやデータを読み取り、それを実行し、制御コマンドをシステムバス１１９に出力する。システムバス１１９は制御システム部１１１を構成する各部を接続するバスである。データやコマンドの送受信は、システムバス１１９を経由して行われる。
外部通信部１２３は、外部との通信を行う。外部通信部１２３は、画像データを外部より取得する。外部通信部１２３により取得された画像データは、システムバス１１９を経由してＲＡＭ１２１に保存される。
【００３０】
センサ制御部１２４は、各種センサの制御及び各種センサからの検出値を取得する処理を行う。センサ制御部１２４は、タッチパネル制御部１２５、加速度センサ制御部１２６、及びカメラ制御部１２７を有する。これらの各ブロックは、ＣＰＵ１２２からの制御に従って動作し、各センサから取得した検出値（検出結果）をＲＡＭ１２１及びＣＰＵ１２２へ出力する。
【００３１】
タッチパネル制御部１２５は、背面タッチパネル１０４及び前面タッチパネル１０５を制御し、背面タッチパネル１０４及び前面タッチパネル１０５により検出されたタッチ操作の情報（タッチ位置の座標等）を取得する。タッチ操作の検出及びタッチ操作に応じた表示装置１の制御は、タッチパネル制御部１２５と、ＲＡＭ１２１及びＣＰＵ１２２で実行されるプログラムと、が連動して動作することで実現される。タッチパネル制御部１２５は、前面タッチパネル１０５と背面タッチパネル１０４のそれぞれを、表面タッチ操作用とするか裏面タッチ操作用とするかの切り替えを行う。
【００３２】
加速度センサ制御部１２６は、加速度センサ１０８を制御し、加速度センサ１０８により検出されたＸＹＺ方向の加速度の情報を取得する。表示装置１の姿勢や移動等の検出は、加速度センサ制御部１２６と、ＲＡＭ１２１及びＣＰＵ１２２で実行されるプログラムと、が連動して動作することで実現される。
【００３３】
カメラ制御部１２７は、前面カメラ１０９と背面カメラ１１０を制御し、前面カメラ１０９と背面カメラ１１０の撮像により得られた画像データを取得する。カメラ制御、画像データの取得、画像データに基づくオブジェクトの認識等の処理は、カメラ制御部１２７と、ＲＡＭ１２１及びＣＰＵ１２２で実行されるプログラムと、が連動して動作することで実現される。カメラ制御部１２７は、前面カメラ１０９と背面カメラ１１０をそれぞれ表用とするか裏用とするかの切り替えを行う。
【００３４】
音声入出力制御部１２８は、ステレオスピーカー１０６への音声出力とステレオマイク１０７からの音声入力を制御する。音声入出力制御部１２８は、ステレオ音声の左右の各チャンネルの音声が適切なスピーカーで再生されるよう、ユーザが表示装置１を保持する状態に応じて、左右の各チャンネルの音声を再生するスピーカーの切り替えを行う。
【００３５】
次に実施例１の表示装置１の実装概略図について説明する。実装概略図を図２に示す。表示装置１は、前面タッチパネル２０２、透明発光パネル２０３、液晶パネル２０４、背面タッチパネル２０５が順に積層されて構成される。システム実装領域２０６は、図１の制御システム部１１１の機能を実現する回路基板、各種デバイス、電源、充電池等が実装される領域である。これらのパネル群とシステム実装領域２０６は、前面ベゼル２０１と背面ベゼル２０７との間に挟み込まれて固定され、支持される。前面カメラ２０８は前面ベゼル２０１内の上部に実装され、背面カメラ２０９は背面ベゼル２０７内の上部に実装される。ステレオスピーカー１０６を構成するスピーカー（１）２１１及びスピーカー（２）２１２は、ベゼル内のシステム実装領域２０６の左右にそれぞれ実装される。これらのスピーカーの各々から左右チャンネルの各々の音声を出力することで、ステレオ音声出力が実現される。ステレオマイク２１０は、ベゼル内のシステム実装領域２０６の下部に実装される。スピーカー（１）２１１及びスピーカー（２）２１２は前面ベゼル２０１と背面ベゼル２０７のいずれからも音声出力可能に構成され、ステレオマイク２１０は前面ベゼル２０１と背面ベゼル２０７のいずれからも集音可能に構成される。
【００３６】
図３に透明発光パネル１０３と液晶パネル１０２のそれぞれの画素と、両者の重ね合わせの位置関係を示す。透明発光パネル画素３０１は透明発光パネル１０３の一画素を示す。透明発光パネル画素３０１は、赤（Ｒ）、緑（Ｇ）、青（Ｂ）の各色で発光する自発光素子を有する。実施例１では、各色の自発光素子の輝度を８ｂｉｔ（０〜２５５）の階調値Ｒｉ、Ｇｉ、Ｂｉで表す（添え字はIntensityの頭文字を表す）。
【００３７】
液晶パネル画素３０２は液晶パネル１０２の一画素を示す。液晶パネル画素３０２は、赤、緑、青の各色に対応する液晶素子を有し、各液晶素子は独立に透過率を制御可能である。透過率は、透過から非透過まで調節可能である。各色に対応する液晶素子の透過率を８ｂｉｔ（０〜２５５）の階調値Ｒｔ、Ｇｔ、Ｂｔで表す（添え字はTransparentの頭文
字を表す）。透明発光パネル１０３と液晶パネル１０２は、図３に示すように、各色に対応する自発光素子と液晶素子の位置が一致するように積層される。
【００３８】
表示データにより指定される色と透明度を実現するための透明発光パネル１０３と液晶パネル１０２の画素の制御について説明する。図４は、色と透明度が異なる種々の色票を示すカラーチャートである。画像データにおいてＲＧＢ値の組み合わせで色が指定される。図４では、色の変化を横軸方向に示す。純色の赤を横軸の中心として、左側ほど黒に近い色となり、右側ほど白に近い色となるように並べ、並び順に色番号を付してある。黒が色番号＃１、赤（純色）が色番号＃９、白が色番号＃１７である。図４のカラーチャートにはそれらの間の中間色も示している。各色番号の色に対応するＲＧＢ値をチャート下部に示す。
【００３９】
また、図４では、透明度の変化を縦軸方向に示す。図４では、背景に市松模様があると想定し、この模様の見え方によって透明度を表現している。透明度データにおいて透明度Ｔ値により透明度が指定される。最上部は不透明状態（透過率０％）を示し、最下部は透明状態（透過率１００％）を示す。図４のカラーチャートにはそれらの間の中間の透明度（透過率を１２．５％ずつ変化させた場合）も示している。各透過率に対応する透明度Ｔ値をチャート右側に示す。
【００４０】
なお、実施例１では簡単のために、赤を中心としたカラーチャートを用いて説明を行う
が、緑と青についても同様の考え方を適用できる。緑を中心としたカラーチャートの場合は以下の説明のＲをＧに置き換え、青を中心としたカラーチャートの場合は以下の説明のＲをＢに置き換えれば良い。
【００４１】
次に、透明発光パネル１０３の輝度階調値（Ｒｉ，Ｇｉ，Ｂｉ）と液晶パネル１０２の透過率階調値（Ｒｔ，Ｇｔ，Ｂｔ）の値を決定するためのテーブルについて、詳細を説明する。実施例１では、目標の色と透明度で表示を行うために、輝度と透過率の両方を連動させて制御する。例えば、透明度を上げるためには、液晶パネル１０２の透過率を上げるとともに、透明発光パネル１０３の輝度を下げる。また、液晶パネル１０２は階調を持つ色フィルタとして機能するため、目標の色で表示を行うには、透明発光パネル１０３の輝度だけではなく、液晶パネル１０２の透過率も適切に調整する。
【００４２】
表面表示時は、透明発光パネル１０３の背面に液晶パネル１０２が配置された状態となる。ディスプレイ制御部１１２は、透明発光パネル１０３側で画像表示を行う場合、画像データに基づき透明発光パネル１０３の各素子の輝度を制御するとともに、透明度データに基づき液晶パネル１０２の各素子の透過率を制御する。すなわち、透明発光パネル１０３の各素子からの光により画像データに基づく画像が形成されるよう透明発光パネル１０３の各素子の輝度を制御する。また、液晶パネル１０２の各素子の透過率により透明度データに基づく透明状態が形成されるように液晶パネル１０２の各素子の透過率を制御する。実施例１では、表面表示時には、透明発光パネル１０３により画像を表示し、液晶パネル１０２により透過率を制御する。
【００４３】
一方、裏面表示時は、液晶パネル１０２の背面に透明発光パネル１０３が配置された状態となる。裏面表示時には、表面表示時と表示方法が異なり、ディスプレイ制御部１１２は、画像データ及び透明度データに基づき透明発光パネル１０３の各素子の輝度を制御するとともに、画像データ及び透明度データに基づき液晶パネル１０２の各素子の透過率を制御する。すなわち、ディスプレイ制御部１１２は、次のように画像データに基づく画像が形成され、かつ、透明度データに基づく透明状態が形成されるように、透明発光パネル１０３の各素子の輝度及び液晶パネル１０２の各素子の透過率を制御する。画像は、透明発光パネル１０３の各素子からの光が液晶パネル１０２の各素子を透過することにより形成され、かつ、透明状態は、透明発光パネル１０３の各素子の輝度に応じた透過率と液晶パネル１０２の各素子の透過率とにより形成される。実施例１では、裏面表示時には、透明発光パネル１０３からの光を液晶パネル１０２でフィルタすることで画像を表示し、透明発光パネル１０３の輝度と液晶パネル１０２の透過率との両方を制御することで透明表示を行う。従って、実施例１では、表面表示用と裏面表示用とで異なる階調テーブルを用いて表示を行う。
【００４４】
表面表示用と裏面表示用とのそれぞれのテーブルについて詳細に説明する。なお、実施例１のテーブル値は一例であり、透明発光パネル１０３と液晶パネル１０２の特性に依存して階調値は異なった値であってもよい。
【００４５】
図５に表面表示時の階調テーブルを示す。表面表示では、透明発光パネル１０３がユーザ視聴面で、その向こう側に液晶パネル１０２がある状態での表示となる。表面表示時には、透明発光パネル１０３の各画素の輝度（輝度階調値）を、画像データの画素値が大きいほど大きい値とするとともに透明度データの画素値が大きいほど小さい値とする。また、液晶パネル１０２の各画素の透過率（透過率階調値）を、透明度データの画素値が大きいほど大きい値とする。実施例１の場合、以下のようにする。
【００４６】
図５（ａ）は、図４のカラーチャートに対応する表面輝度階調テーブルである。
透明度データの画素値（Ｔ値）が０％（非透明状態）の場合、輝度階調値は画像データ
の画素値（ＲＧＢ値）と同じ値とする。すなわち、画像データの画素値が色番号＃１（黒）に対応する値の場合、輝度階調値Ｒｉは０で、色番号＃９（赤）の場合の２５５まで段階的に大きくなり、色番号＃９（赤）以降色番号＃１７（白）まで２５５で一定である。図４のカラーチャートは赤を中心としたカラーチャートであるため、輝度階調値Ｇｉ、Ｂｉは同じ値である。すなわち、画像データの画素値が色番号＃１（黒）から色番号＃９（赤）に対応する値の場合、輝度階調値Ｇｉ、Ｂｉは０で一定、色番号＃９（赤）の場合の０から色番号＃１７（白）の場合の２５５まで輝度階調値Ｇｉ、Ｂｉは段階的に大きくなる。一方、透明度データの画素値が１００％（透明状態）の場合、透明発光パネル１０３を発光させないので、輝度階調値Ｒｉ，Ｇｉ，Ｂｉはどの色番号においても０となる。
【００４７】
次に透明度データの画素値の変化に応じた輝度階調値の変化を説明する。
画像データの画素値が色番号＃１（黒）に対応する値の場合、透明度データの画素値によらず透明発光パネル１０３は非発光状態とする。すなわち透明度データの画素値によらず輝度階調値Ｒｉ，Ｇｉ，Ｂｉは０とする。
画像データの画素値が色番号＃９（赤）に対応する値の場合、透明度データの画素値が０％から１００％に変化するに従って、輝度階調値Ｒｉは２５５から０まで段階的に小さくなる。輝度階調値Ｇｉ，Ｂｉは、透明度データの画素値によらず０で固定である。
画像データの画素値が色番号＃１７（白）に対応する値の場合、透明度データの画素値が０％から１００％に変化するに従って、輝度階調値Ｒｉ，Ｇｉ，Ｂｉはともに２５５から０まで段階的に小さくなる。その他の中間値は上述した値に基づく線形補間等により求められる。
【００４８】
図５（ｂ）が図４のカラーチャートに対応する表面透過率階調テーブルである。画像データの画素値（色番号）によらず、透明度データの画素値０％の場合、透過率階調値Ｒｔ，Ｇｔ，Ｂｔはともに０、透明度データの画素値１００％の場合、透過率階調値Ｒｔ，Ｇｔ，Ｂｔはともに２５５となる。透明度データの画素値がそれらの間の中間値の場合、透過率階調値Ｒｔ，Ｇｔ，Ｂｔは上記の値の線形補間等により求められる。
【００４９】
図６に図５の表面階調テーブルをグラフで表す。図６は、色番号（＃１〜＃１７）を横軸にして、輝度階調値Ｒｉ，Ｇｉ，Ｂｉ及び透過率階調値Ｒｔ，Ｇｔ，Ｂｔをプロットした図である。透明度データの画素値をパラメータにして、０％から１００％まで１２．５％刻みで９通りのグラフを示す。また図４のカラーチャートに対応するテーブルでは、ＧｉとＢｉ、ＧｔとＢｔは常に同じ値となる。そのため、それぞれ共通のグラフとしている。
【００５０】
図６（ａ）は、表面輝度階調値Ｒｉを示すグラフである。表面輝度階調値Ｒｉは、画像データの画素値Ｒに応じてリニアに変化する。すなわち、色番号＃１（黒）（Ｒ＝０）から色番号＃９（赤）（Ｒ＝２５５）までリニアに大きくなり、その後、色番号＃１０（Ｒ＝２５５）から色番号＃１７（白）（Ｒ＝２５５）まで一定値となる。
【００５１】
図６（ｂ）は、表面透過率階調値Ｒｔを示すグラフである。表面透過率階調値Ｒｔは、画像データの画素値Ｒによらず、透明度データの画素値に応じた一定値となる。すなわち、透明度データの画素値ごとに、色番号＃１から色番号＃１７まで同じ値をとり、水平直線となる。表面透過率階調値Ｒｔは、透明度データの画素値が大きくなるにつれて、０から２５５まで大きくなる。
【００５２】
図６（ｃ）は、表面輝度階調値Ｇｉ，Ｂｉを示すグラフである。表面輝度階調値Ｇｉ，Ｂｉは、画像データの画素値Ｇ，Ｂに応じてリニアに変化する。すなわち、色番号＃１（黒）（Ｇ，Ｂ＝０）から色番号＃９（赤）（Ｇ，Ｂ＝０）まで０で一定となり、色番号＃１０（Ｇ，Ｂ＝３１）から色番号＃１７（白）（Ｇ，Ｂ＝２５５）までリニアに大きくな
る。
【００５３】
図６（ｄ）は、表面透過率階調値Ｇｔ，Ｂｔを示すグラフである。表面透過率階調値Ｇｔ，Ｂｔは、画像データの画素値Ｇ，Ｂによらず、透明度データの画素値に応じた一定値となる。すなわち、表面透過率階調値Ｒｔと同じグラフとなる。
【００５４】
図７に裏面表示時の階調テーブルを示す。裏面表示では、液晶パネル１０２がユーザ視聴面で、その向こう側に透明発光パネル１０３がある状態での表示となる。裏面表示時には、透明発光パネル１０３の各画素の輝度（輝度階調値）を、画像データの画素値が大きいほど大きい値とするとともに透明度データの画素値が大きいほど小さい値とする。また、液晶パネル１０２の各画素の透過率（透過率階調値）を、画像データの画素値が大きいほど大きい値とするとともに透明度データの画素値が大きいほど大きい値とする。裏面表示時は、表面表示時と比べると、透明発光パネル１０３と液晶パネル１０２との位置関係が逆になり、透明発光パネル１０３からの光が液晶パネル１０２で遮られる。そのため、表面表示時と同等の明るさで表示を行うには、透明発光パネル１０３の輝度階調値をより大きくし、液晶パネル１０２の透明度階調値をより大きくする（透過させる）補正が必要となる。まず補正前のテーブル値についての説明し、その後、その補正後のテーブル値について説明する。
【００５５】
図７（ａ）は、図４のカラーチャートに対応する裏面輝度階調テーブルである。輝度階調値Ｒｉ，Ｇｉ，Ｂｉは、先に説明した図５（ａ）の表面輝度階調テーブルと同じである。
図７（ｂ）は、図４のカラーチャートに対応する裏面透過率階調テーブルである。裏面表示時には、液晶パネル１０２によっても画素の輝度調整をする。すなわち、画像データの画素値（色番号）に応じて透過率階調値を変化させる。実施例１では、透明度データの画素値０％（非透明状態）の場合、画像データの画素値（色番号＃１（黒））に対応する透過率階調値Ｒｔは０とする。画像データの画素値（色番号＃９（赤））に対応する透過率階調値Ｒｔは２５５として透明発光パネル１０３からの光を最大限（理想的には全て）透過させる。このとき、透明発光パネル１０３の輝度は、表示装置１の背後から入射する光（環境光）に比べて十分明るいため、非透過の表示と同等の表現が可能となる。画像データの画素値が色番号＃９（赤）から色番号＃１７（白）までに対応する値の場合、透過率階調値Ｒｔは２５５で一定となる。
【００５６】
透過率階調値Ｇｔ、Ｂｔは、同じ値をとる。画像データの画素値が色番号＃１（黒）から色番号＃９（赤）までに対応する値の場合、透過率階調値Ｇｔ、Ｂｔは０で一定である。画像データの画素値が色番号＃１０から色番号＃１７（白）までに対応する値の場合、透過率階調値Ｇｔ、Ｂｔは０から２５５まで段階的に大きくなる。透明度データの画素値１００％（透明状態）の場合、透過率階調値Ｒｔ，Ｂｔ，Ｇｔ値は、画像データの画素値によらず（どの色番号においても）２５５となる。
【００５７】
次に透明度データの画素値の変化に応じた透過率階調値の変化を説明する。
画像データの画素値が色番号＃１（黒）に対応する値の場合、透過率階調値Ｒｔ，Ｇｔ，Ｂｔはともに透明度データの画素値に応じた同一の値となる。すなわち、透明度データの画素値が０％から１００％となるに従って、透過率階調値Ｒｔ，Ｇｔ，Ｂｔはともに０から２５５まで段階的に大きくなる。
画像データの画素値が色番号＃９（赤）に対応する値の場合、透過率階調値Ｒｔは、透明度データの画素値の変化によらず２５５で一定、透過率階調値Ｇｔ，Ｂｔは、透明度データの画素値が０％から１００％となる従って０から２５５まで段階的に大きくなる。
画像データの画素値が色番号＃１７（白）に対応する値の場合、透過率階調値Ｒｔ，Ｇｔ，Ｂｔはともに透明度データの画素値によらず２５５で一定である。実施例１では、裏
面表示時には、画像データの画素値（色番号＃１７（白））の場合、液晶パネル１０２側を全て透過させる。そして透明発光パネル１０３の輝度階調値Ｒｉ，Ｇｉ，Ｂｉを一律に透明度データの画素値に応じて変化させることで、透明度データの画素値に応じた透明状態を実現している。その他の中間値は上述した値に基づく線形補間等により求められる。
【００５８】
図８に図７の裏面階調テーブルをグラフで表す。図８は、色番号（＃１〜＃１７）を横軸にして、輝度階調値Ｒｉ，Ｇｉ，Ｂｉ及び透過率階調値Ｒｔ，Ｇｔ，Ｂｔをプロットした図である。透明度データの画素値をパラメータにして、０％から１００％まで１２．５％刻みで９通りのグラフを示す。また図４のカラーチャートに対応するテーブルでは、ＧｉとＢｉ、ＧｔとＢｔは常に同じ値となる。そのため、それぞれ共通のグラフとしている。
【００５９】
図８（ａ）は、裏面輝度階調値Ｒｉを示すグラフである。裏面輝度階調値Ｒｉは、画像データの画素値Ｒに応じてリニアに変化する。すなわち、色番号＃１（黒）（Ｒ＝０）から色番号＃９（赤）（Ｒ＝２５５）までリニアに大きくなり、その後、色番号＃１０（Ｒ＝２５５）から色番号＃１７（白）（Ｒ＝２５５）まで一定値となる。
【００６０】
図８（ｂ）は、裏面透過率階調値Ｒｔを示すグラフである。裏面透過率階調値Ｒｔは、画像データの画素値Ｒに応じてリニアに変化する。すなわち、色番号＃１（黒）（Ｒ＝０）から色番号＃９（赤）（Ｒ＝２５５）までリニアに大きくなり、その後、色番号＃１０（Ｒ＝２５５）から色番号＃１７（白）（Ｒ＝２５５）まで２５５で一定値となる。
【００６１】
図８（ｃ）は、裏面輝度階調値Ｇｉ，Ｂｉを示すグラフである。裏面輝度階調値Ｇｉ，Ｂｉは、画像データの画素値Ｇ，Ｂに応じてリニアに変化する。すなわち、色番号＃１（黒）（Ｇ，Ｂ＝０）から色番号＃９（赤）（Ｇ，Ｂ＝０）まで０で一定となり、色番号＃１０（Ｇ，Ｂ＝３１）から色番号＃１７（白）（Ｇ，Ｂ＝２５５）までリニアに大きくなる。
【００６２】
図８（ｄ）は、裏面透過率階調値Ｇｔ，Ｂｔを示すグラフである。裏面輝度階調値Ｇｔ，Ｂｔは、画像データの画素値Ｇ，Ｂに応じてリニアに変化する。すなわち、色番号＃１（黒）（Ｇ，Ｂ＝０）から色番号＃９（赤）（Ｇ，Ｂ＝０）まで透明度データの画素値に応じた一定値で、その後、色番号＃１０（Ｇ，Ｂ＝３１）から色番号＃１７（白）（Ｇ，Ｂ＝２５５）までリニアに大きくなる。
【００６３】
裏面表示では、輝度階調値と透過率階調値の補正が必要となるため、その処理について説明する。
ディスプレイ制御部１１２は、液晶パネル１０２側で画像表示を行う場合（裏面表示時）、画像データの画素値に対応する透明発光パネル１０３の輝度を、透明発光パネル１０３側で画像表示を行う場合（表面表示時）と比較して、大きい値に補正する。このとき、画像データのとり得る最小の画素値及び最大の画素値に対応する透明発光パネル１０３の輝度については、前記補正を行わない。また、ディスプレイ制御部１１２は、透明度データの画素値が大きいほど前記補正による補正量を小さくする。このとき、透明度データの画素値がとり得る最大の値の場合、前記補正を行わない。
【００６４】
ディスプレイ制御部１１２は、液晶パネル１０２側で画像表示を行う場合（裏面表示時）、透明度データの画素値に対応する液晶パネル１０２の透過率を、透明発光パネル１０３側で画像表示を行う場合（表面表示時）と比較して、大きい値に補正する。このとき、透明度データのとり得る最小の画素値及び最大の画素値に対応する液晶パネル１０２の透過率については、前記補正を行わない。また、ディスプレイ制御部１１２は、画像データの画素値が大きいほど前記補正による補正量を大きくする。このとき、画像データの画素
値がとり得る最大の値の場合、前記補正を行わない。
【００６５】
以下、実施例１の場合の処理を具体的に説明する。図９は、図７の階調テーブル値の補正方法を説明するためのグラフである。図９（ａ）は、裏面輝度階調値を補正するための補正値を表す。横軸が補正前の輝度階調値を示し、縦軸が補正値を示す。補正前の輝度階調値に補正値を加算することで補正が行われる。図９（ａ）に示す通り、輝度階調値の補正は、全体的に輝度階調値を大きくする方向に行われる。ただし、補正前の輝度階調値が０の画素は非発光状態であるため、輝度階調値を大きくする補正は行わない。補正前の輝度階調値が２５５の場合、これ以上輝度階調値を大きくすることはできないので補正は行わない。輝度階調値のとり得る最小値０と最大値２５５については補正量を０とし、その中間の輝度階調値を大きくする補正を行う。実施例１では、図９（ａ）のように、中間の輝度階調値で補正量が極大となるような滑らかな補正曲線を用いて補正量が決められる。
【００６６】
実施例１では、透過率階調値に応じて異なる補正曲線を用いる。例えば、透過率階調値＝２５５の場合、透明となるため、液晶パネル１０２による影響は小さい。従って、補正は行わない。一方、透過率階調値が２５５より小さい場合、液晶パネル１０２による影響がある。実施例１では、輝度階調値＝１２７、透過率階調値＝０の場合の補正値を極大値６４とする。その他の透過率階調値における補正曲線は、上記の値に基づく線形補間等により定める。例えば、実施例１では、以下のように定めた透過率階調値に応じた補正曲線を用いて補正を行う。
輝度階調値＝１２７、透過率階調値＝６３のとき、補正値の極大値４８
輝度階調値＝１２７、透過率階調値＝１２７のとき、補正値の極大値３２
輝度階調値＝１２７、透過率階調値＝１９１のとき、補正値の極大値１６
【００６７】
図９（ｂ）は、図９（ａ）の補正値を用いた補正後の裏面輝度階調値を示す。
図９（ｃ）は、裏面透過率階調値を補正するための補正値を表す。図９（ａ）と同様、横軸が補正前の透過率階調値を示し、縦軸が補正値を示す。補正前の透過率階調値に補正値を加算することで補正が行われる。図９（ｃ）に示すように、透過率階調値の補正は、全体的に透過率階調値を大きくする方向に行われる。ただし、補正前の透過率階調値が０の画素は不透明状態であるため、透過率階調値を大きくする補正は行わない。補正前の透過率階調値が２５５の場合、これ以上透過率階調値を大きくすることはできないので補正は行わない。透過率階調値のとり得る最小値０と最大値２５５については補正量を０とし、その中間の透過率階調値を大きくする補正を行う。実施例１では、図９（ｃ）のように、中間の透過率階調値で補正量が極大となるような滑らかな補正曲線を用いて補正量が決められる。
【００６８】
実施例１では、輝度階調値に応じて異なる補正曲線を用いる。例えば、輝度階調値＝０の場合、非発光となるため、透明発光パネル１０３による影響は小さい。従って、補正は行わない。一方、輝度階調値が０より大きい場合、透明発光パネル１０３からの光が液晶パネル１０２により影響を受けることが考えられる。実施例１では、輝度階調値＝２５５、透過率階調値＝１２７の場合の補正値を極大値６４とする。その他の輝度階調値における補正曲線は、上記の値に基づく線形補間等により定める。例えば、実施例１では、以下のように定めた輝度階調値に応じた補正曲線を用いて補正を行う。
輝度階調値＝６３、透過率階調値＝１２７のとき、補正値の極大値１６
輝度階調値＝１２７、透過率階調値＝１２７のとき、補正値の極大値３２
輝度階調値＝１９１、透過率階調値＝１２７のとき、補正値の極大値４８
図９（ｄ）は、図９（ｃ）の補正値を用いた補正後の裏面輝度階調値を示す。
図９（ａ）の補正値と図９（ｃ）の補正値は独立な値であり、それぞれ裏面表示を行った際に最適な値となるように定められる。最適値は、透明発光パネル１０３の発光強度の特性、液晶パネル１０２の透過特性に依存するため、パネルの機種や種類に応じて調整する。
また、上記の例では、とり得る階調値の中央値で補正量が極大となる補正曲線を例にあげたが、補正曲線の形状もパネルの表示特性に合わせて定めるようにしてもよい。
【００６９】
図１０に補正を行った後の裏面表示時の階調テーブルを示す。図１０は、図７に示すテーブルに対して、図９の補正演算を行った結果を示す。図１０（ａ）が補正後の裏面輝度階調テーブルであり、図１０（ｂ）が補正後の透過率階調テーブルである。
【００７０】
図１１に図１０の裏面階調テーブルをグラフで表す。図１１の各グラフは、図８のグラフに対して、図９に示す補正演算を行った結果を示す。図１１のグラフに示されるように、中間階調値において＋側の補正がかかっている。
図１１（ａ）は、裏面輝度階調値Ｒｉを示すグラフである。
図１１（ｂ）は、裏面透過率階調値Ｒｔを示すグラフである。
図１１（ｃ）は、裏面輝度階調値Ｇｉ，Ｂｉを示すグラフである。
図１１（ｄ）は、裏面透過率階調値Ｇｔ，Ｂｔを示すグラフである。
【００７１】
次に、実施例１のユースケースの説明をする。図１２に表示装置１の使用例と表示例を示す。図１２は、透明ディスプレイ１２０１をユーザが保持し、表示画像を視聴している様子を示す。表示オブジェクト１２０２が画面内に表示されている画像である。表示オブジェクト１２０２以外の表示領域は透明領域１２０３であり、表示装置１の背景１２０４が透過している。ここで、表示装置１の背景を市松模様で表現しており、透明領域１２０３にはこの背景１２０４が透過して見えている。図１２のユースケースは、例えば、テレビ電話のように相手側の画像を見ながら、会話するケースである。図１２のように相手側から送信される画像データから、表示オブジェクト１２０２のみを抽出し、それ以外の画像の領域を透過させることで、通話相手側は、周辺の様子を見られることなくテレビ電話を使用することが可能である。さらにユーザ側にとっても、通話相手が実際にその場にいるかのような臨場感のあるコミュニケーションを楽しむことができる。
【００７２】
透明ディスプレイ１２０１は、透明であることから、一見して、どちらの面が前面か背面かの判別がつきづらい。しかしながら、実施例１における透明ディスプレイ１２０１は、ユーザが視聴している面を自動で判別し、その面に画像を表示する。そのため、ユーザは、どちらが前面か背面か意識することなく、視聴を開始できる。
【００７３】
図１２に示すユースケースを実現する処理フローと回路動作を、図１３から図１５のフローチャートと図１の構成図を用いて説明する。まず、ＣＰＵ１２２が表示装置１の表示動作を開始すると、ステップＳ１３０１にて制御システム部１１１は、表示データを取得する。表示データとは例えば、図１２に示すようなテレビ電話の会話をするための表示を行うためのデータである。外部通信部１２３が外部から表示データを受信し、受信した表示データをＲＡＭ１２１に保存することで、制御システム部１１１は、表示データを取得する。実施例１においては、受信する表示データは、透明対応データと透明非対応データの両方の場合を想定する。透明対応データとは、画像データ（画素ごとのＲＧＢ値）と透明度データ（画素ごとの透過率Ｔ値）を含む表示データである。透明非対応データは、透明度データを含まない。
【００７４】
続いて、ステップＳ１３０２に進み、制御システム部１１１は、取得した表示データが透明対応データか否かを判定する。制御システム部１１１は、例えば、表示データのフォ
ーマットや表示データに付随するメタデータに基づき判定を行う。表示データが透明度データを含むか否かに基づき透明対応データであるか否か判定してもよい。判定の結果、取得した表示データが透明対応データであれば、制御システム部１１１は、ステップＳ１３０４に進む。取得した表示データが透明対応データでなければ、制御システム部１１１は、ステップＳ１３０３に進み、透明対応データ変換処理を行う。その後、制御システム部１１１は、ステップＳ１３０４に進む。透明対応データ変換処理の詳細は、図１４のフローチャートを用いて、後述する。この時点で、処理対象の表示データは、画像データ（ＲＧＢ値）と透明度データ（Ｔ値）を含む透明対応データとなる。上記処理は、主に、ＲＡＭ１２１とＣＰＵ１２２で実行されるソフトウェアにて行われる。
【００７５】
ステップＳ１３０４において、制御システム部１１１は、ユーザの視聴面を判定する。この判定処理では、まず、加速度センサ１０８からの入力を加速度センサ制御部１２６が受け、表示装置１の傾き、空間的な向き、配置を検出する。一般的にユーザは表示装置１を視線より下に置いた状態で使用することが多いため、重力に対して上向きがユーザの視聴面であると推定できる。さらに、ユーザの顔認識や視線検出を行うことで、ユーザが実際に視聴している面を判定することができる。この判定処理は、前面カメラ１０９と背面カメラ１１０が撮影を行い、カメラ制御部１２７に画像を出力して、当該画像に対し顔認識処理等を行うことで行うことができる。
【００７６】
続いて、ステップＳ１３０５に進み、制御システム部１１１は、判定の結果、視聴面が表面であったか否かを判別する。視聴面が表面であった場合、制御システム部１１１は、ステップＳ１３０６に進み、続いてステップＳ１３０７、ステップＳ１３０８を順に実行する。視聴面が表面でない、すなわち裏面であった場合、制御システム部１１１は、ステップＳ１３０９に進み、続いてステップＳ１３１０から、ステップＳ１３１２までを順に実行する。
【００７７】
ステップＳ１３０６では、制御システム部１１１は、前面タッチパネル及び背面タッチパネルの設定を行う。ここでは、前面タッチパネル１０５側がユーザが視聴している面となっている。制御システム部１１１は、前面タッチパネル１０５をユーザ視聴面側（表面）、背面タッチパネル１０４をその逆の面（裏面）に設定する。この設定、切り替えはタッチパネル制御部１２５が行う。続いて制御システム部１１１は、ステップＳ１３０７に進み、前面カメラ及び背面カメラの設定を行う。ここでは、制御システム部１１１は、前面カメラ１０９をインカメラ用、すなわち、ユーザ側の撮影カメラとする。この場合、前面カメラ１０９は、テレビ電話等のユーザ側撮影用途や、ジェスチャ入力用途となる。一方、背面カメラ１１０は、アウトカメラ用、すなわち、ユーザ側と逆側の撮影カメラとなる。この場合、背面カメラ１１０は通常のカメラと同様の撮影用途となる。続いてステップＳ１３０８に進み、制御システム部１１１は、ステレオ音声入出力を表面視聴向けに設定する。制御システム部１１１は、ステレオスピーカー１０６とステレオマイク１０７の左右チャネルを表面視聴に適した設定にする。この切り替え処理は、音声入出力制御部１２８にて行われる。その後、ステップＳ１３１３に進む。
【００７８】
次に、ステップＳ１３０９からステップＳ１３１２の処理を説明する。この処理は前述のステップＳ１３０６からステップＳ１３０８と同様の処理で、ユーザ視聴面が逆側となる点が異なる。以下、ステップＳ１３０６からステップＳ１３０８の処理との相違点を説明する。
【００７９】
ステップＳ１３０９では、制御システム部１１１は、前面タッチパネル及び背面タッチパネルの設定を行う。制御システム部１１１は、背面タッチパネル１０４をユーザ視聴面側（表面）、前面タッチパネル１０５をその逆の面側（裏面）に設定する。続いてステップＳ１３１０に進み、制御システム部１１１は、前面カメラ及び背面カメラの設定を行う
。制御システム部１１１は、背面カメラ１１０をインカメラ用、前面カメラ１０９をアウトカメラ用とする。続いてステップＳ１３１１に進み、制御システム部１１１は、ステレオスピーカー１０６とステレオマイク１０７を裏面視聴向けに設定する。次に、ステップＳ１３１２では、制御システム部１１１は、表示データに基づく表示画像を左右反転し、裏面での表示に対応した向きに変換する。その後、ステップＳ１３１３に進む。
【００８０】
ステップＳ１３１３では、制御システム部１１１は、表示データに基づく表示を行う。この処理の詳細は図１５のフローチャートを用いて後述する。
【００８１】
最後にステップＳ１３１４にて、制御システム部１１１は、終了するかの判定を行い、終了しない場合、ステップＳ１３０１に戻り、ステップＳ１３０２からステップＳ１３０１までの処理を繰り返す。ユーザが終了操作を行うと、制御システム部１１１は、動作を終了する。
【００８２】
透明対応データ変換処理を図１４のフローチャートに示す。外部通信部１２３が取得した表示データが透明対応データでないと判定されると、制御システム部１１１は、本フローチャートの処理を開始し、ステップＳ１４０１に進む。ステップＳ１４０１では、制御システム部１１１は、表示データ内の画像データに基づく画像に含まれるオブジェクトを検出（認識）する。図１２の表示例では、表示オブジェクト１２０２とその背景の２種類のオブジェクトが検出される。
【００８３】
続いてステップＳ１４０２に進み、制御システム部１１１は、処理対象のオブジェクトに対して設定すべき透明度設定値を取得する。ここでは、制御システム部１１１は、ＲＡＭ１２１内に、オブジェクトの種類と、それに対応する透明度設定値との所定の対応関係の情報を含む関連付けデータを持っているものとする。制御システム部１１１は、この関連付けデータを参照することで、オブジェクトごとの透明度設定値を取得する。このデータでは、例えば、オブジェクトが背景である場合、透明度は大きい値（例えば１００％）、オブジェクトが人物である場合、透明度は小さな値（例えば０％）であるという対応関係が予め定められている。このオブジェクトと透明度との対応関係は、ユーザ設定により追加、変更できるようにしてもよい。
【００８４】
続いて、ステップＳ１４０３に進み、制御システム部１１１は、処理対象のオブジェクト内に含まれる画素に対して、そのオブジェクトについて取得した透明度を設定する。例えば、オブジェクトが人物であれば、このオブジェクトを構成する画素の透明度を０％、オブジェクトが背景であれば、このオブジェクトを構成する画素を１００％に設定する。
【００８５】
最後に、ステップＳ１４０４に進み、制御システム部１１１は、全オブジェクトの処理が完了したかを判定する。完了していれば終了する。完了していなければ、制御システム部１１１は、ステップＳ１４０２に戻り、全オブジェクトが完了するまで上記の処理を繰り返す。
【００８６】
図１５に透明ディスプレイの表示処理のフローチャートを示す。これは主に、ディスプレイ制御部１１２内で実行される処理である。まず、ステップＳ１５０１に進み、ディスプレイ制御部１１２は、ユーザが表面を視聴中かを判定する。この処理は、図１３のフローチャートのステップＳ１３０４における判定結果を取得することで行うことができる。視聴面が表面であった場合、ディスプレイ制御部１１２は、ステップＳ１５０２とステップＳ１５０３に進み、ステップＳ１５０４まで実行する。視聴面が裏面であった場合、ディスプレイ制御部１１２は、ステップＳ１５０５とステップＳ１５０７に進み、ステップＳ１５０９まで実行する。
【００８７】
ステップＳ１５０２からステップＳ１５０４までのフローを説明する。ステップＳ１５０２では、ディスプレイ制御部１１２は、表面輝度階調テーブルを生成する。ここでは、表面表示用テーブル生成部１１３が図５（ａ）に示す表面輝度階調テーブルを生成する。生成した表面輝度階調テーブルは、輝度階調テーブル選択部１１６に出力される。ステップＳ１５０３はステップＳ１５０２と並列で実行され、ディスプレイ制御部１１２は、表面透過率階調テーブルを生成する。ここでは、表面表示用テーブル生成部１１３が図５（ｂ）に示す表面透過率階調テーブルを生成する。生成した表面透過率階調テーブルは、透過率階調テーブル選択部１１５に出力される。なお、テーブルデータは、その都度演算を行って生成してもよいし、予めＲＡＭ１２１に格納しておいたテーブルデータを取得してもよい。
【００８８】
ステップＳ１５０４に進み、ディスプレイ制御部１１２は、ユーザ視聴面判定結果に従い、表示面選択を表面に設定する。ここでは、透過率階調テーブル選択部１１５が表面透過率階調テーブルを選択して液晶パネル制御部１１７に出力し、輝度階調テーブル選択部１１６が表面輝度階調テーブルを選択して透明発光パネル制御部１１８に出力する。
【００８９】
ステップＳ１５０５からステップＳ１５０９までのフローを説明する。ステップＳ１５０５では、ディスプレイ制御部１１２は、裏面輝度階調テーブルを生成する。ここでは、裏面表示用テーブル生成部１１４が図７（ａ）に示す裏面輝度階調テーブルを生成する。続いてステップＳ１５０６に進み、ディスプレイ制御部１１２は、輝度階調補正演算を行い裏面輝度階調テーブル値を補正する。ここでは、ディスプレイ制御部１１２は、図９（ａ）の補正曲線を図７（ａ）の裏面輝度階調テーブルに適用して、図１０（ａ）の補正後裏面輝度階調テーブルを生成する。生成した補正後裏面輝度階調テーブルは、輝度階調テーブル選択部１１６に出力される。ステップＳ１５０７はステップＳ１５０５と並列で実行され、ディスプレイ制御部１１２は、裏面透過率階調テーブルを生成する。ここでは、裏面表示用テーブル生成部１１４が図７（ｂ）に示す裏面透過率階調テーブルを生成する。続いてステップＳ１５０８に進み、ディスプレイ制御部１１２は、透過率階調補正演算を行い裏面透過率階調テーブル値を補正する。ここでは、ディスプレイ制御部１１２は、図９（ｂ）の補正曲線を図７（ｂ）の裏面透過率階調テーブルに適用して、図１０（ｂ）の補正後裏面透過率階調テーブルを生成する。生成した補正後裏面透過率階調テーブルは、透過率階調テーブル選択部１１５に出力される。
【００９０】
ステップＳ１５０９に進み、ディスプレイ制御部１１２は、ユーザ視聴面判定結果に従い、表示面選択を裏面に設定する。ここでは、透過率階調テーブル選択部１１５が補正後裏面透過率階調テーブルを選択して液晶パネル制御部１１７に出力し、輝度階調テーブル選択部１１６が補正後裏面輝度階調テーブルを選択して透明発光パネル制御部１１８に出力する。
【００９１】
ステップＳ１５０４又はステップＳ１５０９に続いて、ステップＳ１５１０以降のステップに進む。ステップＳ１５１０以降は画素ごとの処理となる。
ステップＳ１５１０では、液晶パネル制御部１１７と透明発光パネル制御部１１８が、それぞれ画像データバス１２０から、画像データの画素値（処理対象の画素のＲＧＢ値）と透明度データの画素値（処理対象の画素の透明度Ｔ値）を取得する。次にステップＳ１５１１に進み、透明発光パネル制御部１１８は、対象画素の画像データの画素値と透明度データの画素値に基づき、輝度階調テーブルを参照して、輝度階調値Ｒｉ，Ｇｉ，Ｂｉを決定する。決定した輝度階調値は、制御値として透明発光パネル１０３に出力される。続いて、ステップＳ１５１２において、透明発光パネル１０３は制御値を受け取り、当該制御値に従って表示を実行する。
【００９２】
ステップＳ１５１３はステップＳ１５１１と並列に実行され、液晶パネル制御部１１７
は、対象画素の画像データの画素値と透明度データの画素値に基づき、透過率階調テーブルを参照して、透過率階調値Ｒｔ，Ｇｔ，Ｂｔを決定する。決定した透過率階調値は、制御値として液晶パネル１０２に出力される。続いて、ステップＳ１５１４において、液晶パネル１０２は制御値を受け取り、当該制御値に従って表示を実行する。
【００９３】
ステップＳ１５１２とステップＳ１５１４が完了すると、ディスプレイ制御部１１２は、ステップＳ１５１５に進み、全表示画素の処理が完了したかを判定する。完了していれば、処理は終了する。完了していなければ、ディスプレイ制御部１１２は、全画素分の表示が完了するまで上記の処理を繰り返す。
【００９４】
以上の構成、処理により、透明発光パネルと液晶パネルを積層した２層構造の透明ディスプレイにおいて、表と裏の両面で透明度に階調がある画像表示が可能となる。
上記実施例では、透明発光パネルと液晶パネルとのそれぞれがＲ，Ｇ，Ｂの３色に対応する発光素子と液晶素子を有しカラー表示可能な透明ディスプレイに本発明を適用した例を説明した。本発明はモノクロ表示する２層構造の透明ディスプレイにも適用可能である。その場合、表示データは輝度情報と透明度情報を含み、輝度情報と透明度情報に基づき透明発光パネルと液晶パネルを制御すればよい。
上記実施例では、両面表示可能な透明ディスプレイにおいてユーザが観察している面を検出して検出結果に応じて表面表示用の表示制御と裏面表示用の表示制御とを切り替える。さらに、表面表示時と裏面表示時のいずれにおいても透明度の階調表示が可能となる。そのため、ユーザはデバイスの前面と背面の区別を意識することなく両面表示可能な透明ディスプレイを使用することができる。この特徴により、本実施例の両面表示可能な透明ディスプレイは、多様なユースケースに適用することができる。例えば、ある視点から見た街の様子を写真又はコンピュータグラフィックスにより表示する地図アプリケーションを実行している場合、次のようなユースケースが考えられる。表面表示時にはある視点から見た風景を表示し、デバイスを裏返して裏面表示に切り替えた場合、当該視点から表面表示時とは逆向きに見た風景を表示する。また、裏返す際の回転方向が垂直方向か水平方向かに応じて、表示を切り替えるようにしても良い。例えば、水平方向回転の場合には上記のように風景を見る視線方向を切り替え、垂直方向回転の場合にはある視点から見た街の様子を示すモードと通常の地図を表示するモードとの切り替えを行うようにしても良い。
【００９５】
＜その他の実施形態＞
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（Central Processing Unit）、ＭＰＵ（Micro Processing Unit）、その他の回路により構成される。さらに別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えばＣＤ（Compact Disc）、ＤＶＤ（Digital Versatile Disc）、ＢＤ（Blu-ray（登録商
標）Disc））、フラッシュメモリ、メモリカードを含んでも良い。実施例を参照して本発明を説明したが、本発明は実施例の開示に限定されないものと解されるべきである。本発明は、実施例に対する本発明の範囲内のあらゆる変形や等価な構造や機能を包含するよう
最も広く解釈されるべきものである。
【符号の説明】
【００９６】
１０１：透明ディスプレイ、１０２：液晶パネル、１０３：透明発光パネル、１１１：制御システム部、１１２：ディスプレイ制御部、１１７：液晶パネル制御部、１１８：透明発光パネル制御部、１２２：ＣＰＵ
【図１】
2016020959.tif 000003
【図２】
2016020959.tif 000004
【図３】
2016020959.tif 000005
【図４】
2016020959.tif 000006
【図５（ａ）】
2016020959.tif 000007
【図５（ｂ）】
2016020959.tif 000008
【図６】
2016020959.tif 000009
【図７（ａ）】
2016020959.tif 000010
【図７（ｂ）】
2016020959.tif 000011
【図８】
2016020959.tif 000012
【図９】
2016020959.tif 000013
【図１０（ａ）】
2016020959.tif 000014
【図１０（ｂ）】
2016020959.tif 000015
【図１１】
2016020959.tif 000016
【図１２】
2016020959.tif 000017
【図１３】
2016020959.tif 000018
【図１４】
2016020959.tif 000019
【図１５】
2016020959.tif 000020